(57)【要約】【課題】従来の技術においては、変圧器等の電力機器の二次側から一次側への電力線通信の信号の通過および遮断を適切に制御できなかった。【解決手段】電力機器である変圧器１０の二次側配線Ｌ１，Ｌ２、または一次側配線Ｐ１，Ｐ２に対して接続され、変圧器１０の二次側配線Ｌ１，Ｌ２と一次側配線Ｐ１，Ｐ２との間における電力線通信の信号の通過を遮断するコンデンサ２０１を備えた電力線通信用フィルタ２０により、変圧器１０の二次側と一次側との間における電力線通信の信号の通過および遮断を適切に制御することができる。【選択図】図１
2019165426.tif 000002
【特許請求の範囲】
【請求項１】
電力機器の二次側配線または一次側配線に対して接続され、当該電力機器の二次側配線と一次側配線との間における電力線通信の信号の通過を遮断する素子を備えた電力線通信用フィルタ。
【請求項２】
前記素子は、複数の素子であり、
当該複数の素子の中から、前記二次側配線と接続される１以上の素子を切替える切替手段を更に備えた請求項１記載の電力線通信用フィルタ。
【請求項３】
前記切替手段は、前記複数の素子の中から、直列または並列に接続されて前記二次側配線と接続される素子を切替える請求項２記載の電力線通信用フィルタ。
【請求項４】
前記複数の素子は、電力線通信の信号の通過を遮断する特性である通過特性が異なり、
前記切替手段は、前記通過特性が異なる複数の素子の中から、前記二次側配線と接続される一の素子を切替える請求項２記載の電力線通信用フィルタ。
【請求項５】
請求項２、請求項３および請求項４のうちの少なくとも一項に記載された２以上の電力線通信用フィルタが直列または並列に接続された電力線通信用フィルタ。
【請求項６】
前記切替手段は、接続する素子の切替を遠隔操作可能なものである請求項２から請求項５いずれか一項記載の電力線通信用フィルタ。
【請求項７】
前記素子と二次側配線との間に、当該素子と二次側配線との接続と切断とを切替える接続手段を備えた請求項１から請求項６いずれか一項記載の電力線通信用フィルタ。
【請求項８】
前記接続手段は、接続と切断との切替を遠隔操作可能なものである請求項７記載の電力線通信用フィルタ。
【請求項９】
前記素子は、前記二次側配線と接地との間に接続されるコンデンサである請求項１から請求項８いずれか一項記載の電力線通信用フィルタ。
【請求項１０】
前記素子は、前記二次側配線に挿入されるインダクタである請求項１から請求項８いずれか一項記載の電力線通信用フィルタ。
【請求項１１】
前記素子は、フェライトコアに巻付けられた前記二次側配線に挿入される導線を有する請求項１から請求項８いずれか一項記載の電力線通信用フィルタ。
【請求項１２】
前記素子は、電力機器の二次側配線間または一次側配線間に接続されるコンデンサである請求項１から請求項８いずれか一項記載の電力線通信用フィルタ。
【請求項１３】
前記電力機器は、単相３線式の変圧器である請求項１２記載の電力線通信用フィルタ。
【請求項１４】
前記素子は、三相３線式の電力機器の、３本の二次側配線または３本の一次側配線から選択した異なる１組以上の二本の配線間をそれぞれ接続するコンデンサである請求項１から請求項８いずれか一項記載の電力線通信用フィルタ。
【発明の詳細な説明】
【技術分野】
【０００１】
本発明は、電力線通信（ＰＬＣ）用のフィルタに関するものである。
【背景技術】
【０００２】
従来の技術として、変圧器から需要家へと延びる単相３線式の低圧配電線に設置する電力線通信システムであって、低圧配電線は、変圧器から延びる幹線から分岐した第１及び第２の支線を含み、第１の電力線モデムは、第１の支線に誘導結合方式により接続されて第１の支線に第１の信号を重畳すると共に、第２の支線に誘導結合方式により接続されて第２の支線に前記第１の信号の逆相の信号である第２の信号を重畳することを特徴とする電力線通信システムが知られていた。（例えば、特許文献１参照）。
【先行技術文献】
【特許文献】
【０００３】
【特許文献１】特開２０１４−７８８４２号公報（第１頁、第１図等）
【発明の概要】
【発明が解決しようとする課題】
【０００４】
しかしながら、従来の技術においては、変圧器等の電力機器の二次側と一次側との間における電力線通信の信号の通過を適切に遮断できない、という課題があった。
【０００５】
例えば、変圧器は、鉄心の渦電流損等の影響により、一次側と二次側との間において高周波信号の通過を妨げるが、完全には通過を遮断することができず、電力線通信の信号や数ＭＨｚ程度の高次高調波が、ある程度通過していた。このため、変圧器の二次側において送信される電力線通信の高周波の信号が、変圧器を通過して一次側に漏れてしまうという問題があった。なお、一次側とは、例えば、高電圧側や系統側である。また、二次側とは、例えば、低電圧側や負荷側である。同様に、一次側において送信された電力線通信の高周波の信号が、変圧器を通過して二次側に漏れてしまうという問題があった。
【０００６】
同様に、ＰＡＳ（気中負荷開閉器）やＵＧＳ（地中線用負荷開閉器）等の、変圧器以外の電力機器においても、二次側から一次側へのＰＬＣ信号の漏れや、一次側から二次側へのＰＬＣ信号の漏れを防ぐことができないという問題があった。
【０００７】
また、上記のような電力機器において、二次側と一次側との間における電力線通信の信号が遮断される程度や信号の減衰量等を、適宜変更することができないという問題があった。  
【０００８】
本発明は、上記のような課題を解消するためになされたものであり、電力機器の二次側と一次側との間における電力線通信の信号の通過を適切に遮断できる電力線通信用フィルタを提供することを目的とする。
【課題を解決するための手段】
【０００９】
本発明の電力線通信用フィルタは、電力機器の二次側配線または一次側配線に対して接続され、当該電力機器の二次側配線と一次側配線との間における電力線通信の信号の通過を遮断する素子を備えた電力線通信用フィルタである。
【００１０】
かかる構成により、電力の通過を妨げずに、電力機器の二次側と一次側との間における電力線通信の信号の通過を適切に遮断することができる。
【００１１】
また、本発明の電力線通信用フィルタは、前記電力線通信用フィルタにおいて、前記素子は、複数の素子であり、当該複数の素子の中から、前記二次側配線と接続される１以上の素子を切替える切替手段を更に備えた電力線通信用フィルタである。
【００１２】
かかる構成により、二次側配線と接続される１以上の素子を切替えて、合成インピーダンスを調節して、電力線通信の信号の通過および遮断を細かく制御することができる。
【００１３】
また、本発明の電力線通信用フィルタは、前記電力線通信用フィルタにおいて、前記切替手段は、直列または並列に接続されて前記二次側配線と接続される素子を切替える電力線通信用フィルタである。
【００１４】
かかる構成により、二次側配線と接続される素子を切替えて、一の素子または、直列接続または並列接続した複数の素子を二次側配線に接続することができ、合成インピーダンスを調節して、電力線通信の信号の通過および遮断を細かく制御することができる。
【００１５】
また、本発明の電力線通信用フィルタは、前記電力線通信用フィルタにおいて、前記複数の素子は、電力線通信の信号の通過を遮断する特性である通過特性が異なり、前記切替手段は、前記通過特性が異なる複数の素子の中から、前記二次側配線と接続される一の素子を切替える電力線通信用フィルタである。
【００１６】
かかる構成により、二次側配線と接続する素子を切替えることで通過特性を変更して、電力線通信の信号の通過および遮断を細かく制御することができる。
【００１７】
また、本発明の電力線通信用フィルタは、前記電力線通信用フィルタのうちの少なくとも２以上の電力線通信用フィルタが直列または並列に接続された電力線通信用フィルタである。
【００１８】
かかる構成により、合成インピーダンスを細かく制御することが可能となり、電力線通信の信号の通過および遮断を細かく制御することができる。
【００１９】
また、本発明の電力線通信用フィルタは、前記電力線通信用フィルタにおいて、前記切替手段は、接続する素子の切替を遠隔操作可能なものである電力線通信用フィルタである。
【００２０】
かかる構成により、電力線通信の信号の通過と遮断とを遠隔操作することができ、電力線通信用フィルタを、変圧器等に接続して使用している状態においても、離れた場所から容易に電力線通信の信号の通過と遮断とを制御することができる。
【００２１】
また、本発明の電力線通信用フィルタは、前記電力線通信用フィルタにおいて、前記素子と二次側配線との間に、当該素子と二次側配線との接続と切断とを切替える接続手段を備えた電力線通信用フィルタである。
【００２２】
かかる構成により、電力線通信の信号の二次側と一次側との間における通過を遮断するか否かを容易に切替えることができる。
【００２３】
また、本発明の電力線通信用フィルタは、前記電力線通信用フィルタにおいて、前記接続手段は、接続と切断との切替を遠隔操作可能なものである電力線通信用フィルタである。
【００２４】
かかる構成により、電力線通信用フィルタを、変圧器等に接続して使用している状態においても、離れた場所から容易に電力線通信の信号の二次側と一次側との間における通過を遮断するか否かを容易に切替えることができる。
【００２５】
また、本発明の電力線通信用フィルタは、前記電力線通信用フィルタにおいて、前記素子は、前記二次側配線と接地との間に接続されるコンデンサである電力線通信用フィルタである。
【００２６】
かかる構成により、コンデンサを二次側線路と接地との間に接続することで、電力線通信の信号を、コンデンサを通過させて接地側に送信するとともに、低周波の電力の接地側への通過を防ぐことができる。
【００２７】
また、本発明の電力線通信用フィルタは、前記電力線通信用フィルタにおいて、前記素子は、前記二次側配線と接地との間に接続される容量が変更可能な可変コンデンサである電力線通信用フィルタである。
【００２８】
かかる構成により、電力線通信の信号の遮断の程度を、可変コンデンサの容量を変更することで、容易に行なうことができる。
【００２９】
また、本発明の電力線通信用フィルタは、前記電力線通信用フィルタにおいて、前記素子は、前記二次側配線に挿入されるインダクタである電力線通信用フィルタである。
【００３０】
かかる構成により、インダクタを二次側線路に挿入することで、インダクタによって電力線通信の信号を電力機器側に通過させないようにすることができるとともに、低周波の電力を遮断しないようにすることができる。
【００３１】
また、本発明の電力線通信用フィルタは、前記電力線通信用フィルタにおいて、前記素子は、前記二次側配線に挿入されるインダクタンスが変更可能な可変インダクタである電力線通信用フィルタである。
【００３２】
かかる構成により、電力線通信の信号の遮断の程度を、可変インダクタのインダクタンスを変更することで、容易に行なうことができる。
【００３３】
また、本発明の電力線通信用フィルタは、前記電力線通信用フィルタにおいて、前記素子は、フェライトコアに巻付けられた前記二次側配線に挿入される導線を有する電力線通信用フィルタである。
【００３４】
かかる構成により、フェライトコアに巻付けられた導線によって、電力線通信の信号を電力機器側に通過させないようにすることができるとともに、低周波の電力を遮断しないようにすることができる。
【００３５】
また、本発明の電力線通信用フィルタは、前記電力線通信用フィルタにおいて、前記素子が、電力機器の二次側配線間または一次側配線間に接続されるコンデンサである電力線通信用フィルタである。
【００３６】
かかる構成により、電力線通信の信号を、コンデンサを通過させて二次側配線間または一次側配線間で送信するとともに、低周波の電力のコンデンサの通過を防ぐことができ、電力の通過を妨げずに、電力機器の二次側と一次側との間における電力線通信の信号の通過を適切に遮断することができる。
【００３７】
また、本発明の電力線通信用フィルタは、前記電力線通信用フィルタにおいて、前記電力機器が、単相３線式の変圧器である電力線通信用フィルタである。
【００３８】
かかる構成により、単相３線式の変圧器の二次側と一次側との間における電力線通信の信号の通過を適切に遮断することができる。
【００３９】
また、本発明の電力線通信用フィルタは、前記電力線通信用フィルタにおいて、前記素子が、三相３線式の電力機器の、３本の二次側配線または３本の一次側配線から選択した異なる１組以上の二本の配線間をそれぞれ接続するコンデンサである電力線通信用フィルタである。
【００４０】
かかる構成により、電力線通信の信号を、コンデンサを通過させて二次側配線間または一次側配線間で送信するとともに、低周波の電力のコンデンサの通過を防ぐことができ、電力の通過を妨げずに、三相３線式の電力機器の二次側と一次側との間における電力線通信の信号の通過を適切に遮断することができる。
【発明の効果】
【００４１】
本発明による電力線通信用フィルタによれば、電力機器の二次側と一次側との間における電力線通信の信号の通過を適切に遮断することができる。
【図面の簡単な説明】
【００４２】
【図１】本発明の実施の形態１における電力線通信用フィルタを示す図（図１（ａ））、およびその変形例を示す図（図１（ｂ）〜（ｄ））
【図２】同電力線通信用フィルタの変形例を示す図（図２（ａ）および図２（ｂ））
【図３】本発明の実施の形態２における電力線通信用フィルタを示す図
【図４】本発明の実施の形態３の電力線通信用フィルタを示す図（図４（ａ））、およびその変形例を示す図（図４（ｂ）〜図４（ｄ））
【図５】本発明の実施の形態４の電力線通信用フィルタを示す図（図５（ａ））、およびその変形例を示す図（図５（ｂ））
【図６】同実施の形態４における電力線通信用フィルタの変形例を示す図（図６（ａ）および図６（ｂ））
【図７】本発明の実施の形態５の電力線通信用フィルタを示す図（図７（ａ））、およびその変形例を示す図（図７（ｂ））
【図８】同実施の形態５の電力線通信用フィルタを説明するための図（図８（ａ）、および図８（ｂ））
【図９】本発明の実施の形態６の電力線通信用フィルタを示す図（図９（ａ））、およびその変形例を示す図（図９（ｂ）〜図９（ｅ））
【発明を実施するための形態】
【００４３】
以下、電力線通信用フィルタ等の実施形態について図面を参照して説明する。なお、実施の形態において同じ符号を付した構成要素は同様の動作を行うので、再度の説明を省略する場合がある。
【００４４】
（実施の形態１）
図１は、本実施の形態における電力線通信用フィルタを示す図（図１（ａ））、およびその変形例を示す図（図１（ｂ）〜（ｄ））である。ここでは、電力機器である変圧器の二次側配線が、電力線通信を行なうための回路や機器（図示せず）等と接続されており、電力線通信用フィルタが、変圧器の二次側配線の、変圧器と、電力線通信を行なうための回路や機器等との間に接続されている例を挙げて説明する。電力線通信を行なうための回路や機器とは、例えば、電力線通信用のモデムや、電力線通信の信号を出力するコンピュータ等の機器である。電力線通信は、例えば、電力線搬送通信とも呼ばれる。
【００４５】
変圧器１０は、一次巻線１０１、二次巻線１０２、および鉄心１０３を備えている。変圧器１０は、例えば、配電用の変圧器である。配電用の変圧器とは、例えば、発電設備や変電設備から送電される高圧の電圧を、需要家が利用可能な低電圧に変圧して配電するための変圧器である。配電用の変圧器としては、例えば、変電設備等から送電される６ｋＶ程度の高圧の電流を、例えば２００Ｖや１００Ｖの電圧に変圧して一般家庭に配電するための柱上変圧器等がある。本実施の形態においては、変圧器１０が、単相三線式の変圧器である場合を例に挙げて説明する。ただし、他の構造の変圧器であってもよい。
【００４６】
一次巻線１０１は、両端に一次側配線Ｐ１および一次側配線Ｐ２が接続されている。一次側配線とは、変圧器の一次巻線の両端にそれぞれ接続された配線である。一次側配線Ｐ１および一次側配線Ｐ２は、例えば、一次巻線１０１を構成する導線の延長であっても良く、この場合も、一次巻線１０１に接続された配線と考えて良い。なお、以下、変圧器１０と接続された一次側配線（具体的には、変圧器１０の一次巻線１０１と接続された一次側配線）を変圧器１０の一次側配線と呼ぶ。一次巻線１０１は、通常、高圧側の巻線として用いられる。一次巻線１０１の一次側配線Ｐ１および一次側配線Ｐ２は、例えば、高圧線（一般的に６ｋＶ）に接続される。
【００４７】
二次巻線１０２は、両端に二次側配線Ｌ１および二次側配線Ｌ２が接続されている。二次側配線とは、変圧器の二次巻線の両端に接続された配線である。二次側配線Ｌ１およびＬ２は、二次巻線１０２を構成する導線の延長であっても良く、この場合も、二次巻線の両端に接続された配線と考えても良い。なお、以下、変圧器１０と接続された二次側配線（具体的には、変圧器１０の二次巻線１０２と接続された二次側配線）を変圧器１０の二次側配線と呼ぶ。二次巻線１０２は、通常、低圧側の巻線として用いられる。二次側配線Ｌ１および第二のＬ２は、例えば、低圧線（一般的に１００または２００Ｖ）に接続される。この二次側配線Ｌ１およびＬ２が、ここでは、電力線通信を行なう回路（図示せず）等と接続されている。
【００４８】
ここでは変圧器１０が単相三線式であるため、二次巻線１０２の中央には、中性線Ｇが接続されている。中性線Ｇは、例えば、接地線として用いられる配線であり、接地されている。通常、二次側配線Ｌ１と中性線Ｇとの間の電位差と、二次側配線Ｌ２と中性線との間の電位差とが等しい電位差となるよう中性線Ｇが接続されている。変圧器１０の詳細な構成については、公知技術であるため、ここでは説明は省略する。
【００４９】
電力線通信用フィルタ２０は、変圧器１０の二次側配線Ｌ１と二次側配線Ｌ２とに対してそれぞれ設けられている。例えば、電力線通信用フィルタ２０は、二次側配線Ｌ１またはＬ２の、変圧器１０と、電力線通信を行なうための回路や機器との間に接続されている。電力線通信用フィルタ２０は、変圧器１０の二次側配線Ｌ１またはＬ２に対してそれぞれ接続された素子であって、二次側配線に送信される電力線通信の信号の、変圧器１０の一次側配線Ｐ１およびＰ２への通過を遮断する１以上の素子を備えている。ここでの素子は、変圧器１０の二次側配線Ｌ１またはＬ２に送信される電力線通信の信号の、変圧器１０の一次側配線Ｐ１およびＰ２への通過を遮断することが可能な素子であればどのような素子であってもよい。ここでの電力線通信の信号の遮断は、完全な遮断であってもよく、完全な遮断でなくてもよい。例えば、電力線通信の信号の遮断は、電力線通信の信号の部分的な遮断であってもよい。また、この素子の二次側配線Ｌ１またはＬ２に対する接続のしかたは、電力線通信の信号の、変圧器１０の一次側配線Ｐ１およびＰ２への通過を遮断することが可能であれば、どのような接続であってもよい。例えば、素子は、素子が有する一の端子だけが、二次側配線Ｌ１またはＬ２に対して接続されていてもよい。また、素子は、二次側配線Ｌ１またはＬ２に対して挿入されていてもよい。ここでは、電力線通信用フィルタ２０が、上述した電力線通信の信号の通過を遮断する１以上の素子として、二次側配線Ｌ１または二次側配線Ｌ２と、中性線Ｇと、の間に接続されたコンデンサ２０１を備えている場合について説明する。なお、二次側配線Ｌ１またはＬ２に接続される素子は、二次側配線Ｌ１またはＬ２に直接接続されていてもよく、例えば、同様の他の素子や、スイッチ等を介して、二次側配線Ｌ１またはＬ２に接続されていてもよく、このような場合も、素子が二次側配線Ｌ１またはＬ２に接続されると考えてもよい。
【００５０】
中性線Ｇが接地されているため、電力線通信用フィルタ２０のコンデンサ２０１は、二次側配線Ｌ１と接地との間、および二次側配線Ｌ２と接地との間に接続されていることとなる。コンデンサ２０１は、周波数が低い成分に対しては、インピーダンスが高くなり、周波数が高い成分に対しては、インピーダンスが低くなるため、変圧器１０の二次側配線Ｌ１およびＬ２を流れる低周波数の電力（例えば、５０Ｈｚまたは６０Ｈｚ等の商用周波数等の電力）は通過させないとともに、電力線通信に用いられるような、例えば２Ｍ〜３０ＭＨｚの高周波信号は通過させることとなる。従って、二次側配線Ｌ１およびＬ２の、電力線通信用フィルタ２０のコンデンサ２０１が接続されている位置よりも二次側、すなわちコンデンサ２０１が接続されている位置に対して変圧器１０の反対側となる部分において送信された電力線通信の信号は、高周波に対するインピーダンスが小さいコンデンサ２０１を介して中性線Ｇに流れ、接地側に流れることとなる。これにより、電力線通信の信号が、電力線通信用フィルタ２０が接続されている位置よりも変圧器１０側に流れないようにすることができ、電力線通信の信号が、一次側配線Ｐ１およびＰ２に流れないようにすることができる。これにより、例えば、二次側から一次側への電力線通信の信号の通過を遮断することができる。
【００５１】
なお、コンデンサ２０１の容量は、例えば、変圧器１０等によっても異なるが、数千ｐＦ以上であることが好ましい。ただし、容量が大きすぎる場合、５０Ｈｚや６０Ｈｚの低周波電力まで遮断される可能性があるため、約１００００ｐＦ以下とすることが好ましい。
【００５２】
以上、本実施の形態においては、変圧器１０の二次側配線Ｌ１およびＬ２とのそれぞれと、変圧器１０の接地された中性線Ｇとの間にそれぞれ接続されたコンデンサ２０１を備えたことにより、低周波電力が遮断されることなく、二次側配線Ｌ１およびＬ２に送信される電力線通信の信号の、変圧器１０の一次側への通過を遮断することができる。
【００５３】
また、本実施の形態においては、コンデンサ２０１の一端を、接地された中性線Ｇと接続するようにしたことにより、コンデンサ２０１を接地するための接地された線路等を別途用意する必要がなく、構成を簡易化することができる。
【００５４】
なお、ここでは、２つの電力線通信用フィルタ２０を、変圧器１０の二次側配線Ｌ１およびＬ２のそれぞれと、中性線Ｇとの間にそれぞれ設けた場合について説明したが、１つの電力線通信用フィルタ２０を、二次側配線Ｌ１およびＬ２のいずれか一方と、中性線Ｇとの間だけに設けるようにしてもよい。
【００５５】
また、コンデンサ２０１の一端を、接地された中性線Ｇに接続する代わりに、図示しない接地された線路と接続するようにしてもよい。すなわちコンデンサ２０１の一端を接地するようにしてもよい。このようにコンデンサ２０１の一端を接地した場合においても、コンデンサ２０１によって電力線通信の信号の一次側配線への通過を遮断することができる。かかることは、以下においても同様である。
【００５６】
（変形例１）
図１（ｂ）に示すように、図１（ａ）に示した電力線通信用フィルタ２０において、二次側配線Ｌ１またはＬ２と電力線通信の信号の通過を遮断する素子であるコンデンサ２０１との間に、コンデンサ２０１と二次側配線Ｌ１との、接続と切断とを切替える接続手段２０１１を備えるようにしてもよい。接続手段２０１１は、例えば、コンデンサ２０１と、二次側配線Ｌ１またはＬ２との接続と切断とを切り替え可能なスイッチである。
【００５７】
このような変形例においては、接続手段２０１１によってコンデンサ２０１と二次側配線Ｌ１またはＬ２とを接続した場合には、電力線通信用フィルタ２０によって、二次側配線Ｌ１またはＬ２に送信される電力線通信の信号を、一次側配線に通過させないようにすることができ、接続手段２０１１によってコンデンサ２０１と二次側配線Ｌ１またはＬ２とを切断した場合には、二次側配線Ｌ１またはＬ２に送信される電力線通信の信号の一次側配線への通過を遮断しないようにすることができる。このように接続手段２０１１を設けたことにより、二次側配線に送信される電力線通信の信号の通過を遮断するか否かを、切替えることが可能となる。
【００５８】
なお、接続手段２０１１は、遠隔操作で接続と切断とを切替え可能な装置であることが好ましい。例えば、接続手段２０１１は、遠隔操作で接続と切断とを切替え可能なスイッチであることが好ましい。このようにすることで、変圧器１０および電力線通信用フィルタ２０等を設置した後においても、遠隔操作で通過の遮断を行なうか否か等を切替えることができ、必要等に応じて容易に電力線通信の信号の遮断を制御することができる。このようなスイッチ等の装置については、公知技術であるため、ここでは詳細な説明は省略する。
【００５９】
（変形例２）
また、図１（ｃ）に示すように、電力線通信用フィルタ２０のコンデンサ２０１を、可変コンデンサ２０１ａに変更してもよい。可変コンデンサ２０１ａとは、電気容量を変更できるコンデンサである。
【００６０】
可変コンデンサ２０１ａを操作して、電気容量を大きくすると、可変コンデンサ２０１ａのインピーダンスが小さくなり、電力線通信の信号を流しやすくなる。このため、可変コンデンサ２０１ａを操作して電気容量を変更することで、電力線通信の信号の、中性線Ｇ（すなわち接地）へ通過する程度を変更することができる。これにより、一次側配線に通過する電力線通信の信号の遮断の程度を制御することができる。なお、可変コンデンサ２０１ａは、手動操作できるものであっても良いが、遠隔操作で容量を変更できるものであることが好ましい。
【００６１】
（変形例３）
なお、電力線通信用フィルタ２０の代わりに、図１（ｄ）に示すように二次側配線Ｌ１またはＬ２と中性線Ｇ（または接地）との間に接続される４つのコンデンサ２０２ａ〜２０２ｄと、４つのコンデンサ２０２ａ〜２０２ｄの中から二次側配線Ｌ１またはＬ２と接続される１以上のコンデンサを切替える１以上の切替手段２０２０と、二次側配線Ｌ１またはＬ２と接続される第一の端子２０２３と、中性線Ｇ（または接地）と接続される第二の端子２０２４と、を備えた電力線通信用フィルタ２１を用いるようにしてもよい。
【００６２】
切替手段２０２０は、４つのコンデンサ２０２ａ〜２０２ｄの二次側配線Ｌ１またはＬ２と接続される側と、第一の端子２０２３との間にそれぞれ設けられ、４つのコンデンサ２０２ａ〜２０２ｄのそれぞれと、第一の端子２０３との接続と切断とを切替える第一のスイッチ２０２１ａ〜２０２１ｄと、４つのコンデンサ２０２ａ〜２０２ｄの中性線Ｇ側（または接地側）と、第二の端子２０４の間にそれぞれ設けられ、４つのコンデンサ２０２ａ〜２０２ｄのそれぞれと、第二の端子２０４との接続と切断とを切替える第二のスイッチ２０２２ａ〜２０２２ｄとを備えている。この切替手段２０２０は、例えば、４つのコンデンサ２０２ａ〜２０２ｄの中から、並列に接続されて二次側配線Ｌ１またはＬ２と接地との間に接続される素子を切替える切替手段である。なお、この場合、一つの素子が二次側配線Ｌ１またはＬ２と接地との間に接続されるよう切替えることも、並列に接続した素子が二次側配線Ｌ１またはＬ２と接地との間に接続されるよう切替えることの一態様と考えてもよい。この切替手段２０２０は、例えば、二次側配線Ｌ１またはＬ２と接地との間に接続される１のコンデンサ、または並列接続されて二次側配線Ｌ１またはＬ２と接地との間に接続される２以上のコンデンサを切替える切替手段と考えてもよい。なお、第一の端子２０２３は、切替手段２０２０が二次側配線Ｌ１またはＬ２側と接続される部分と考えてもよい。また、第二の端子２０２４は、切替手段２０２０が中性線Ｇ側（または接地側）と接続される部分と考えてもよい。また、この場合、第一の端子２０２３および第二の端子２０２４は省略してもよい。かかることは、後述する第一の端子２０３３および第二の端子２０３４、並びに後述する第一の端子４０３３および第二の端子４０３４においても同様である。
【００６３】
４つのコンデンサ２０２ａ〜２０２ｄは、電力線通信の信号の通過特性が同じであるコンデンサであってもよく、通過特性が異なるコンデンサを含んでいてもよい。例えば、全ての通過特性が異なっていてもよい。電力線通信の信号の通過特性とは、電力線通信の信号の通過を遮断する特性である。電力線通信の信号の通過特性は、例えば、電力線通信の信号の通過の程度や度合い（言い換えれば、信号の遮断の程度や度合い）、通過する信号の減衰量や、通過する周波数帯等である。例えば、コンデンサにおいては、その容量により変化することから、電力線通信の信号の通過特性が変化することから、電力線通信の信号の通過特性が同じであるコンデンサは、例えば、容量が同じであるコンデンサであり、通過特性が異なるコンデンサは、容量が異なるコンデンサである。
【００６４】
この電力線通信用フィルタ２１は、電力線通信用フィルタ２０の代わりに、二次側配線Ｌ１と中性線Ｇ（または接地）との間、および二次側配線Ｌ２と中性線Ｇ（または接地）との間に設けられる。
【００６５】
例えば、切替手段２０２０の第一のスイッチ２０２１ａと第二のスイッチ２０２２ａとの組の両方を接続した状態とすることで、コンデンサ２０２ａを第一の端子２０２３と第二の端子２０２４との間（すなわち、二次側配線Ｌ１またはＬ２と、中性線Ｇとの間）に接続することができ、少なくとも一方、好ましくは両方を切断した状態とすることで、コンデンサ２０２ａを第一の端子２０２３と第二の端子２０２４との間に接続しないようにすることができる。かかることは、第一のスイッチ２０２１ｂと第二のスイッチ２０２２ｂとの組、第一のスイッチ２０２１ｃと第二のスイッチ２０２２ｃとの組、および第一のスイッチ２０２１ｄと第二のスイッチ２０２２ｄとの組についても同様である。このため、切替手段２０２０の第一のスイッチ２０２１ａと第二のスイッチ２０２２ａとの組、第一のスイッチ２０２１ｂと第二のスイッチ２０２２ｂとの組、第一のスイッチ２０２１ｃと第二のスイッチ２０２２ｃとの組、および第一のスイッチ２０２１ｄと第二のスイッチ２０２２ｄとの組のうちの２以上の組を接続した状態とすることで、４つのコンデンサ２０２ａ〜２０２ｄのうちの２以上を、第一の端子２０２３と第二の端子２０２４との間（すなわち、二次側配線Ｌ１またはＬ２と、中性線Ｇとの間）に並列接続することができる。また、一つの組だけを接続した状態とすることで、４つのコンデンサ２０２ａ〜２０２ｄのうちの一つのコンデンサだけを接続することができる。また、第一のスイッチ２０２１ａ〜２０２１ｄと第二のスイッチ２０２２ａ〜２０２２ｄとの全てを切断状態とすることで、４つのコンデンサ２０２ａ〜２０２ｄを全て接続しないようにして、電力線通信の信号の一次側配線への通過を妨げないようにすることができる。
【００６６】
複数のコンデンサを並列接続した場合、コンデンサの合成容量が増加するため、インピーダンスが小さくなり、電力線通信の信号を流しやすくなる。このため、この電力線通信用フィルタ２１を、電力線通信用フィルタ２０の代わりに、二次側配線Ｌ１と中性線Ｇ（または接地）との間、および二次側配線Ｌ２と中性線Ｇ（または接地）との間にそれぞれ設け、切替手段２０２０によって、４つのコンデンサ２０２ａ〜２０２ｄのうちの二次側配線Ｌ１と中性線Ｇとの間に並列接続するコンデンサの数を切替えることで、電力線通信の信号が中性線Ｇ（すなわち接地）へ送信される程度を変更して、一次側配線に通過する電力線通信用信号の遮断の程度を変更することができる。また、切替手段２０２０によって、全てのコンデンサ２０２ａ〜２０２ｄを接続しないようにすることで、電力線通信の信号の一次側配線への通過を遮断しないようにすることができる。ここでの切替手段２０２０による並列に接続するコンデンサの切替は、例えば、並列接続するコンデンサ数の切替と考えてもよい。
【００６７】
なお、切替手段２０２０が有する第一のスイッチ２０２１ａ〜２０２１ｄおよび第二のスイッチ２０２２ａ〜２０２２ｄは、遠隔操作可能なスイッチであることが好ましい。また、切替手段２０２０の、同じコンデンサに接続された第一のスイッチおよび第二のスイッチは、同時に接続と切断とが切り替え可能なスイッチであることが好ましい。
【００６８】
また、ここでは、電力線通信用フィルタ２１が、並列接続可能な４つのコンデンサ２０２ａ〜２０２ｄを有する場合について説明したが、電力線通信用フィルタ２１が有する並列接続可能なコンデンサは、２以上であればその数は問わない。また、切替手段２０２０は、各コンデンサの二次側配線側と、中性線Ｇ側（または接地側）とに、それぞれ第一のスイッチと、第二のスイッチとを有していればよい。
【００６９】
この変形例３においては、電力線通信の信号の通過を遮断する素子であるコンデンサ２０２ａ〜２０２ｄを複数備えているとともに、複数のコンデンサ２０２ａ〜２０２ｄの中から、二次側配線Ｌ１またはＬ２に接続される１または２以上のコンデンサ、具体的には、二次側配線Ｌ１またはＬ２と中性線Ｇ（すなわち接地）との間に並列接続される１または２以上のコンデンサを切替える切替手段２０２０を備えるようにしたから、切替手段２０２０によって、並列に接続する１または２以上のコンデンサを切替えて、並列接続するコンデンサ数等を変更することにより、電力線通信の信号の接地側への通過特性を変更することができ、一次側配線に通過する電力線通信の信号の遮断の程度を適切に制御することができる。
【００７０】
なお、ここでは、切替手段２０２０が、複数のコンデンサ（例えば、コンデンサ２０２ａ〜２０２ｄ）の中から並列に接続する１または２以上のコンデンサを切替えられるようにした場合について説明したが、切替手段２０２０は、複数のコンデンサ（例えば、コンデンサ２０２ａ〜２０２ｄ）の中から直列に接続する１または２以上のコンデンサを切替えられるようにしてもよい。すなわち、切替手段２０２０は、例えば、複数のコンデンサ（例えば、コンデンサ２０２ａ〜２０２ｄ）の中から、直列に接続されて二次側配線Ｌ１またはＬ２と接地との間に接続される素子を切替える切替手段と考えてもよい。なお、この場合、１の素子が接続されるよう切替えることも、直列に接続されて二次側配線Ｌ１またはＬ２と接地との間に接続される素子を切替えることの一態様と考えてもよい。この切替手段２０２０は、二次側配線Ｌ１またはＬ２と接地との間に接続される１のコンデンサ、または二次側配線Ｌ１またはＬ２と接地との間に直列接続される２以上のコンデンサを切替える切替手段と考えてもよい。
【００７１】
また、ここで示した切替手段２０２０は一例であり、切替手段２０２０は、電力線通信用フィルタ２１が有する複数のコンデンサの中から、二次側配線Ｌ１またはＬ２と接続、具体的には、二次側配線Ｌ１またはＬ２と、接地との間に接続されるコンデンサであって、並列または直列に接続される１または２以上のコンデンサを切替えることが可能な切替手段であれば、どのような構成を有していてもよい。
【００７２】
（変形例４）
図２（ａ）は、本実施の形態における電力線通信用フィルタの変形例を示す図である。
上記実施の形態において、電力線通信用フィルタ２０の代わりに、図２（ａ）に示すように、変圧器１０の二次側配線Ｌ１またはＬ２と中性線Ｇ（または接地）との間に接続される通過特性が異なる４つのコンデンサ２０３ａ〜２０３ｄと、この４つのコンデンサ２０３ａ〜２０３ｄの中から、二次側配線Ｌ１またはＬ２と接続される一のコンデンサを切替える切替手段２０３０と、二次側配線Ｌ１またはＬ２と接続される第一の端子２０３３と、中性線Ｇ（または接地）と接続される第二の端子２０３４と、を備えた電力線通信用フィルタ２２を用いるようにしてもよい。
【００７３】
ここでは、通過特性が異なる４つのコンデンサ２０３ａ〜２０３ｄが、容量が異なる４つのコンデンサである例について説明する。
【００７４】
切替手段２０３０は、４つのコンデンサ２０３ａ〜２０３ｄの二次側配線Ｌ１またはＬ２と接続される側にそれぞれ接続された端子である４つの第一切替用端子２０３５ａ〜２０３５ｄのうちの一つを切替えて、第一の端子２０３３と接続する第一のセレクタスイッチ２０３１と、４つのコンデンサ２０３ａ〜２０３ｄの中性線Ｇ（または接地）と接続される側にそれぞれ接続された端子である４つの第二切替用端子２０３６ａ〜２０３６ｄのうちの一つを切替えて、第二の端子２０３４と接続する第二のセレクタスイッチ２０３２とを備えている。
【００７５】
この電力線通信用フィルタ２２は、電力線通信用フィルタ２０の代わりに、二次側配線Ｌ１と中性線Ｇ（または接地）との間、および二次側配線Ｌ２と中性線Ｇ（または接地）との間にそれぞれ設けられる。
【００７６】
例えば、切替手段２０３０の第一のセレクタスイッチ２０３１と第二のセレクタスイッチ２０３２とをそれぞれ操作して、第一の端子２０３３と第二の端子２０３４とを、コンデンサ２０３ａに接続された第一切替用端子２０３５ａと第二切替用端子２０３６ａとにそれぞれ接続した状態とすることで、コンデンサ２０３ａを第一の端子２０２３と第二の端子２０２４との間、結果的には、二次側配線Ｌ１またはＬ２と中性線Ｇとの間、に接続することができる。また、切替手段２０３０の第一のセレクタスイッチ２０３１と第二のセレクタスイッチ２０３２とを、それぞれ操作して、第一の端子２０３３と第二の端子２０３４とを、コンデンサ２０３ｂに接続された第一切替用端子２０３５ｂと第二切替用端子２０３６ｂとにそれぞれ接続した状態とすることで、コンデンサ２０３ｂを、第一の端子２０２３と第二の端子２０２４との間、結果的には、二次側配線Ｌ１またはＬ２と、中性線Ｇとの間に接続することができる。同様に、第一のセレクタスイッチ２０３１と第二のセレクタスイッチ２０３２とを操作して、第一の端子２０３３と第二の端子２０３４とを、コンデンサ２０３ｃに接続された第一切替用端子２０３５ｃと第二切替用端子２０３６ｃとにそれぞれ接続した状態とすることで、コンデンサ２０３ｃを第一の端子２０３３と第二の端子２０３４との間に接続することができる。同様に、第一のセレクタスイッチ２０３１と第二のセレクタスイッチ２０３２とを操作して、第一の端子２０３３と第二の端子２０３４とを、コンデンサ２０３ｄに接続された第一切替用端子２０３５ｄと第二切替用端子２０３６ｄとにそれぞれ接続した状態とすることで、コンデンサ２０３ｄを第一の端子２０３３と第二の端子２０３４との間に接続することができる。
【００７７】
このように、切替手段２０３０の第一のセレクタスイッチ２０３１と第二のセレクタスイッチ２０３２とをそれぞれ切替え操作することで、二次側配線Ｌ１またはＬ２と、中性線（または接地）との間に接続する電力線通信の信号の一次側配線への通過を遮断するコンデンサを、通過特性が異なる４つのコンデンサ２０３ａ〜２０３ｄ、具体的には、容量が異なる４つのコンデンサ２０３ａ〜２０３ｄのいずれか一つに切替えることができ、二次側配線Ｌ１またはＬ２から、中性線（または接地）に流れる電力線通信の信号の通過特性を変更して、一次側配線に通過する電力線通信の信号の遮断の程度を変更することができる。
【００７８】
なお、切替手段２０３０が有する第一のセレクタスイッチ２０３１および第二のセレクタスイッチ２０３２は、遠隔操作可能なスイッチであることが好ましい。また、第一のセレクタスイッチ２０３１および第二のセレクタスイッチ２０３２は、同じコンデンサに同時に接続されるよう接続先が切り替わるスイッチであることが好ましい。
【００７９】
また、ここでは、電力線通信用フィルタ２２が、切替え接続可能な４つのコンデンサ２０３ａ〜２０３ｄを有する場合について説明したが、電力線通信用フィルタ２２が有する切替え接続可能なコンデンサは、２以上であればよく、その数は問わない。
【００８０】
なお、第一のセレクタスイッチ２０３１および第二のセレクタスイッチ２０３２の少なくとも一方、好ましくは両方が、上述した切替に加えて、いずれのコンデンサとも接続されない状態にも切り替え可能なセレクタスイッチであってもよい。
【００８１】
なお、切替手段２０３０は、電力線通信用フィルタ２２が有する通過特性が異なる２以上のコンデンサの中から、二次側配線Ｌ１またはＬ２と接続される一のコンデンサを切替えることが可能な手段であれば、上記以外のどのような構成を有していても良い。
【００８２】
また、変形例３においては、二次側配線と接地との間に、直列または並列に接続される１以上のコンデンサを切替える切替手段を備えた場合について説明し、変形例４においては、二次側配線と接地との間に接続される通過特性が異なる一のコンデンサを切替える切替手段を備えた場合について説明したが、電力線通信用フィルタは、例えば、変圧器１０の二次側配線に送信される電力線通信の信号の、変圧器１０の一次側配線への通過を遮断する素子である複数のコンデンサと、複数のコンデンサの中から、二次側配線Ｌ１またはＬ２に接続される１以上のコンデンサを切替える切替手段を有しているものであればよい。このような構成により、切替手段を操作すること等により電力線通信用フィルタの通過特性を制御して、電力線通信の信号の通過と遮断とを制御することができる。なお、ここでの二次側配線Ｌ１またはＬ２に接続される１以上のコンデンサは、具体的には、二次側配線Ｌ１またはＬ２と接地とに接続される１以上のコンデンサである。なお、二次側配線Ｌ１またはＬ２と、接地との間に接続されるコンデンサが複数である場合、ここでの接続は、直列接続であってもよく、並列接続であってもよく、接続されるコンデンサが３以上である場合、直列接続と並列接続とが混在していてもよい。
【００８３】
（変形例５）
図２（ｂ）は、本実施の形態における電力線通信用フィルタの変形例を示す図である。
電力線通信用フィルタは、図２（ｂ）に示すように、上述した変形例３において説明した電力線通信用フィルタ２１を２つ直列に接続したような構成を有する電力線通信用フィルタであってもよい。例えば、電力線通信用フィルタ２３は、４つのコンデンサ２０２ａ〜２０２ｄと、この４つのコンデンサ２０２ａ〜２０２ｄの中から、二次側配線Ｌ１またはＬ２と並列に接続される１以上のコンデンサを切替える切替手段２０２０との組を二組有するようにし、それぞれの組の切替手段２０２０が切替えて並列に接続した１以上のコンデンものであって、直列に接続されるよう、それぞれの組の切替手段２０２０同士を接続したものであってもよい。
【００８４】
このような変形例においては、各切替手段２０２０によって並列接続するコンデンサの数を変更でき、更に、各切替手段２０２０で並列接続したコンデンサを直列接続できるため、電力線通信用フィルタ２３の、二次側配線Ｌ１またはＬ２と、接地との間に接続されるコンデンサの合成容量を各切替手段２０２０の切替によって細かく変更して、電力線通信の信号の遮断の程度を細かく制御することができる。
【００８５】
なお、ここでは、電力線通信用フィルタ２３が、２つの電力線通信用フィルタ２１を直列に接続した構成を有する場合について説明したが、電力線通信用フィルタは、３以上の電力線通信用フィルタ２１を直列に接続したような構成を有していても良い。また、各電力線通信用フィルタ２１が有するコンデンサの数は問わない。
【００８６】
また、ここでは、電力線通信用フィルタ２３が、複数の電力線通信用フィルタ２１を直列に接続した構成を有する場合について説明したが、電力線通信用フィルタは、複数の電力線通信用フィルタ２１を並列に接続したような構成を有していても良く、並列接続と直列接続が混在するよう、複数の電力線通信用フィルタ２１を接続してもよい。
【００８７】
また、ここでは、変形例３において説明した複数の電力線通信用フィルタ２１を直列または並列に接続したものを電力線通信用フィルタ２３として用いる場合について説明したが、変形例４において説明した複数の電力線通信用フィルタ２２を直列または並列に接続したものを電力線通信用フィルタとして用いてもよく、変形例３において説明した１以上の電力線通信用フィルタ２１と、変形例４において説明した１以上の電力線通信用フィルタ２２とを直列または並列に接続したものを、電力線通信用フィルタとして用いてもよい。つまり、電力線通信用フィルタは、電力線通信用フィルタ２１と電力線通信用フィルタ２２とのうちの少なくとも一方の２以上を、直列または並列となるよう接続したものと考えてもよい。なお、この場合の電力線通信用フィルタ２１と電力線通信用フィルタ２２との接続順番等は問わない。
【００８８】
なお、この変形例の電力線通信用フィルタは、変圧器１０等の電力機器の二次側配線に対して接続され、二次側配線に送信される電力線通信の信号の、電力機器の一次側配線への通過を遮断する複数のコンデンサと、この複数のコンデンサの中から、二次側配線と接続される１以上のコンデンサを切替える１以上の切替手段との２以上の組を、異なる組においてそれぞれ切替えられた１以上のコンデンサ間が直列接続または並列接続されるよう備えている（例えば、接続されている）ものと考えてもよい。
【００８９】
また、この変形例の電力線通信用フィルタは、変圧器１０等の電力機器の二次側配線に対して接続され、二次側配線に送信される電力線通信の信号の、電力機器の一次側配線への通過を遮断する複数のコンデンサと、複数のコンデンサのうちの二次側配線と直列または並列に接続される１以上のコンデンサを切替える切替手段との組、および変圧器１０等の電力機器の二次側配線に対して接続され、二次側配線に送信される電力線通信の信号の、電力機器の一次側配線への通過を遮断する複数のコンデンサであって、電力線通信の信号の通過を遮断する特性である通過特性が異なる複数のコンデンサと、通過特性が異なる複数のコンデンサの中から、二次側配線と接続される一のコンデンサを切替える切替手段との組、のうちの少なくとも一方の２以上を、異なる組においてそれぞれ切替えられたコンデンサ間が直列接続または並列接続されるよう有している（例えば、接続されている）ものと考えてもよい。
【００９０】
なお、変形例３〜５に示した電力線通信用フィルタにおいて、更に、変形例１において説明したような接続手段２０１１を、二次側配線Ｌ１またはＬ２側に設けてもよい。
【００９１】
（実施の形態２）
上記実施の形態においては変圧器１０の二次側配線と中性線（または接地）との間に電力線通信用フィルタを接続した場合について説明したが、本実施の形態においては、上記実施の形態の電力線通信用フィルタを変圧器１０以外の電力機器である開閉器の二次側配線に接続した場合について説明する。
【００９２】
図３は、本発明の実施の形態２にかかる電力線通信用フィルタを示す図である。図において、図１と同一符号は同一または相当する部分を示している。なお、ここでは、開閉器が、３相の気中負荷開閉器（以下、ＰＡＳと称す）５０である場合を例に挙げて説明する。ただし、開閉器は、地中線用負荷開閉器等の他の開閉器であってもよい。
【００９３】
ＰＡＳ５０は、３本の一次側配線Ｐａ１〜Ｐａ３と、これらとそれぞれ接続される３本の二次側配線Ｌａ１〜Ｌａ３とを備えている。ＰＡＳの構成については、公知技術であるため、詳細な説明は省略する。なお、ＰＡＳ等の、変圧器１０以外の電力機器の一次側配線は、例えば、系統側や電力供給元側の配線であり、二次側配線は、負荷側や需要家側の配線である。ここでは、二次側配線Ｌａ１〜Ｌａ３が、電力線通信が行なわれる回路（図示せず）等と接続されているものとする。
【００９４】
３つの電力線通信用フィルタ２０は、二次側配線Ｌａ１〜Ｌａ３のそれぞれと、接地との間に接続されている。電力線通信を行なうための回路や機器等は、二次側配線Ｌａ１〜Ｌａ３のそれぞれの電力線通信用フィルタ２０が接続されている位置よりも後段側に接続されているものとする。
【００９５】
各二次側配線Ｌａ１〜Ｌａ３は、電力線通信用フィルタ２０のコンデンサ２０１を介して設置されているため、二次側配線Ｌａ１〜Ｌａ３の、電力線通信用フィルタ２０のコンデンサ２０１が接続されている位置よりも二次側、すなわち、コンデンサ２０１が接続されている位置に対して電力機器であるＰＡＳ５０の反対側となる部分において送信された電力線通信の信号は、高周波に対するインピーダンスが小さいコンデンサ２０１を介して接地側に流れることとなる。これにより、電力線通信の信号が、ＰＡＳ５０側に流れないようにすることができ、電力線通信の信号が、ＰＡＳ５０を通過して、一次側配線Ｐａ１〜Ｐａ３に流れないようにすることができる。これにより、例えば、二次側から一次側への電力線通信の信号の漏洩を防ぐことができる。
【００９６】
以上、本実施の形態においては、ＰＡＳ５０の二次側配線Ｌａ１〜Ｌａ３のそれぞれと、接地との間にそれぞれ接続されたコンデンサ２０１を備えたことにより、二次側配線Ｌａ１〜Ｌａ３に送信される電力線通信の信号の、ＰＡＳ５０の一次側への通過を遮断することができる。
【００９７】
なお、上記実施の形態において、電力線通信用フィルタ２０の代わりに、上記実施の形態１において説明した変形例１〜５と同様の電力線通信用フィルタを設けるようにしてもよい。
【００９８】
また、本実施の形態においては、変圧器以外の電力機器がＰＡＳである場合について説明したが、電力機器は、ＰＡＳ以外の開閉器や、開閉器や変圧器以外の他の電力機器であってもよい。ここでの電力機器とは、電力の蓄積、電力の電圧変換、電力の接続・遮断などを行う機器である。電力の配電を行なう配電機器等も電力機器と考えてもよい。このような場合においても、電力機器の二次側配線（図示せず）と、接地との間に、電力線通信用フィルタ２０のコンデンサ２０１を接地することにより、上記実施の形態と同様の効果を奏する。なお、ここでの電力機器とは、電力の蓄積、電力の電圧変換、電力の接続・遮断などを行う機器である。電力の配電を行なう配電機器等も電力機器と考えてもよい。
【００９９】
（実施の形態３）
上記実施の形態においては、二次側配線と接地との間に接続したコンデンサを有する電力線通信用フィルタについて説明したが、本実施の形態においては、二次側配線に送信される電力線通信の信号の、変圧器等の電力機器の一次側配線への通過を遮断する素子として、コンデンサの代わりに、二次側配線に挿入されるインダクタを有するようにした電力線通信用フィルタについて説明する。
【０１００】
図４は、本実施の形態３の電力線通信用フィルタを示す図（図４（ａ））、およびその変形例を示す図（図４（ｂ）〜図４（ｄ））である。図４において、図１および図２と同一符号は同一または相当する部分を示している。ここでは、電力機器である変圧器の二次側配線が、電力線通信を行なうための回路や機器（図示せず）等と接続されており、電力線通信用フィルタが、変圧器の二次側配線に接続されている例を挙げて説明する。
【０１０１】
電力線通信用フィルタ３０は、変圧器１０の二次側配線Ｌ１またはＬ２にそれぞれ設けられている。電力線通信用フィルタ３０は、二次側配線Ｌ１またはＬ２にそれぞれ挿入されたインダクタ３０１を有する。インダクタ３０１は、一端が、二次側配線Ｌ１またはＬ２の変圧器１０側に接続され、他端が、二次側配線Ｌ１またはＬ２の負荷側、すなわち変圧器１０側とは反対側に接続されている。
【０１０２】
各二次側配線Ｌ１およびＬ２には、それぞれ電力線通信用フィルタ３０のインダクタ３０１が挿入されているおり、インダクタ３０１は、電力線通信の信号のような周波数が高い成分に対してはインピーダンスが高くなり、信号を流しにくくなる性質があることから、変圧器１０の二次側配線Ｌ１およびＬ２を流れる低周波数の電力はインダクタ３０１を通過するともに、電力線通信に用いられるような、例えば２Ｍ〜３０ＭＨｚの高周波信号は通過させないこととなる。従って、二次側配線Ｌ１およびＬ２の、電力線通信用フィルタ３０のインダクタ３０１が接続されている位置よりも二次側において送信された電力線通信の信号は、高周波に対するインピーダンスが高いインダクタ３０１を通過しなくなり、電力線通信の信号が、変圧器１０側に流れないようにすることができ、電力線通信の信号が、一次側配線Ｐ１およびＰ２に流れないようにすることができる。これにより、例えば、二次側から一次側への電力線通信の信号の漏洩を防ぐことができる。
【０１０３】
（変形例１）
なお、上記実施の形態において、図４（ｂ）に示すように、電力線通信用フィルタ３０が、インダクタ３０１と、バイパス用線路３０２と、インダクタ３０１の第一の端子３０１１ａまたはバイパス用線路３０２の第一の端子３０２１ａと、二次側配線Ｌ１またはＬ２の変圧器１０側との接続を切替える第一のセレクタスイッチ３０３１と、インダクタ３０１の第二の端子３０１１ｂまたはバイパス用線路３０２の第二の端子３０２１ｂと、二次側配線Ｌ１およびＬ２の、変圧器１０側とは反対側の部分との接続を切替える第二のセレクタスイッチ３０３２とを有するようにしても良い。この第一のセレクタスイッチ３０３１及び第二のセレクタスイッチ３０３２は、例えば、インダクタ３０１と二次側配線Ｌ１およびＬ２との間に設けられ、インダクタ３０１と二次側配線Ｌ１またはＬ２との接続と切断とを切替える接続手段と考えてもよい。
【０１０４】
このような構成とすることで、第一のセレクタスイッチ３０３１と、第二のセレクタスイッチ３０３２とを操作して、インダクタ３０１を二次側配線Ｌ１またはＬ２に挿入されるよう接続することで、電力線通信の信号を遮断できるとともに、第一のセレクタスイッチ３０３１と、第二のセレクタスイッチ３０３２とを操作して、インダクタ３０１の代わりにバイパス用線路３０２を二次側配線Ｌ１またはＬ２に挿入されるよう接続することで、電力線通信の信号の遮断を行なわないようにすることができる。
【０１０５】
なお、ここでは、第一のセレクタスイッチ３０３１と、第二のセレクタスイッチ３０３２とで、インダクタ３０１の、二次側配線Ｌ１またはＬ２への接続と切断とを切替えるようにしたが、インダクタ３０１の、二次側配線Ｌ１またはＬ２への接続と切断とを切替えることが可能であれば、どのような接続手段を設けるようにしてもよい。
【０１０６】
（変形例２）
また、図１（ｄ）に示したような、上記実施の形態１の変形例３において説明した電力線通信用フィルタ２１の複数のコンデンサを複数のインダクタでそれぞれ置き換えた電力線通信用フィルタを、上記実施の形態３の電力線通信用フィルタの代わりに接続するようにしてもよい。このような構成とすることで、切替手段２０２０を切替えることで、１つのインダクタ、または２以上の並列接続したインダクタを二次側配線Ｌ１またはＬ２に接続することが可能となる。例えば、複数のインダクタを並列に接続すると、インダクタンスが減少してインピーダンスが低くなり、電力線通信の信号を通過させやすくなるため、電力線通信の信号の通過特性を変更することが可能となる。これにより電力線通信の信号の遮断の程度を制御することが可能となる。この場合に置き換えられる各インダクタは、例えば、同じインダクタンスのインダクタであってもよく、異なるインダクタンスのインダクタであってもよい。なお、この電力線通信フィルタが有するインダクタの数は、複数であればその数は問わない。
【０１０７】
（変形例３）
また、図２（ａ）に示したような、上記実施の形態１の変形例４において説明した電力線通信用フィルタ２２の異なる容量のコンデンサを、異なるインピーダンスのインダクタでそれぞれ置き換えた電力線通信用フィルタを、上記実施の形態３の電力線通信用フィルタの代わりに接続するようにしてもよい。このような構成とすることで、切替手段２０３０により、二次側配線Ｌ１またはＬ２に接続するインダクタを容量が異なるインダクタに切替えて、電力線通信用フィルタのインピーダンスを変更することができ、電力線通信の信号の通過特性を変更して、電力線通信の信号の遮断の程度を制御することが可能となる。例えば、複数のインダクタを直列に接続すると、インダクタンスが増加して、インピーダンスが高くなり、電力線通信の信号を通過させにくくなる。また、複数のインダクタを並列に接続すると、インダクタンスが減少してインピーダンスが低くなり、電力線通信の信号を通過させやすくなる。このため、上記実施の形態１の変形例４の電力線通信用フィルタのコンデンサをインダクタに置き換えた電力線通信用フィルタを用いて、二次側配線に接続する一のインダクタを切替えることで、電力線通信の信号の通過特性を変更して、一次側配線に通過する電力線通信の信号を制御することが可能となる。なお、この電力線通信フィルタが有するインダクタの数は、複数であればその数は問わない。
【０１０８】
（変形例４）
なお、図４（ｃ）に示すように、上記実施の形態３の電力線通信用フィルタ３０の代わりに、複数のインダクタの接続を切替えて、１以上のインダクタを二次側配線Ｌ１またはＬ２に直列接続できるようにした電力線通信用フィルタ３１を用いてもよい。以下、この変形例について図４（ｃ）を用いて説明する。ここでは、インダクタの数が４つである場合を例に挙げて説明するが、インダクタの数は２以上であればよい。
【０１０９】
電力線通信用フィルタ３１は、４つのインダクタ３０１ａ〜３０１ｄと、切替手段４０２０と、二次側配線Ｌ１またはＬ２の変圧器１０側と接続される端子４０３３と、二次側配線Ｌ１またはＬ２の変圧器１０側とは反対側の部分と接続される端子４０３４と、を有している。インダクタ３０１ａ、３０１ｂ、３０１ｃ、および３０１ｄは、この順番に直列に接続されており、インダクタ３０１ａのインダクタ３０１ｂと接続されていない側に、端子４０３３が設けられている。インダクタ３０１ａ〜３０１ｄは、インダクタンスが同じインダクタであってもよく、インダクタンスが異なるインダクタを含んでいてもよい。インダクタンスが同じインダクタは、例えば、巻数が同じインダクタであり、インダクタンスが異なるインダクタは、例えば、巻数が異なるインダクタである。切替手段４０２０は、インダクタ３０１ａとインダクタ３０１ｂとが接続されている部分、インダクタ３０１ｂとインダクタ３０１ｃとが接続されている部分、インダクタ３０１ｃとインダクタ３０１ｄとが接続されている部分、およびインダクタ３０１ｄのインダクタ３０１ｃと接続されていない側にそれぞれ接続された切替用端子４０３６ａ〜４０３６ｄの一つと、端子４０３４とを切替えて接続するセレクタスイッチ４０３２とを有している。切替用端子４０３６ａ〜４０３６ｄは、例えば、二次側配線Ｌ１またはＬ２に接続するインダクタ数を切替えるために用いられる端子である。セレクタスイッチ４０３２は、遠隔操作可能なスイッチであることが好ましい。
【０１１０】
この電力線通信用フィルタ３１においては、セレクタスイッチ４０３２を操作することによって、セレクタスイッチ４０３２が端子４０３４と接続する切替用端子を、切替用端子４０３６ａ〜４０３６ｄのいずれか１つに切替えることができ、二次側配線Ｌ１またはＬ２に挿入される直列接続したインダクタの数を変更することができる。例えば、切替用端子４０３６ａを接続することで、インダクタ３０１ａ一つだけを二次側配線Ｌ１またはＬ２に対して直列に接続することができ、切替用端子４０３６ｃを接続することで、直列接続した３つのインダクタ３０１ａ〜３０１ｃを、二次側配線に対して挿入することができる。直列接続するインダクタの数を増加させると、インダクタの合成インダクタンスが増加して、インピーダンスが増加し、電力線通信の信号を通過しにくくすることができる。これにより、電力線通信の信号の通過特性を変更して、電力線通信の信号の遮断の程度を制御することが可能となる。
【０１１１】
（変形例５）
上記実施の形態１の変形例５において説明したように、本実施の形態の変形例２〜４の少なくとも１つにおいて説明した電力線通信用フィルタの少なくとも２以上を、直列または並列に接続できるようにしてもよい。このようにすることで、合成インピーダンスを細かく制御でき、通信の遮断の程度等を細かく制御できる。
【０１１２】
なお、上記実施の形態においては、電力機器が、変圧器１０である場合を例に挙げて説明したが、電力機器は、ＰＡＳ等の変圧器１０以外の電力機器であってもよく、このような場合においても、二次側配線に電力線通信用フィルタ３０を設けることで上記と同様の効果を奏する。
【０１１３】
（変形例６）
図４（ｄ）に示すように、図４（ａ）に示した上記実施の形態の電力線通信用フィルタ３０のインダクタ３０１を、可変インダクタ３０１ａに変更してもよい。可変インダクタ３０１ａとは、インダクタンスを変更可能なインダクタである。可変インダクタ３０１ａは、例えば、スライダック（登録商標）等の出力電圧が変更可能な変圧器であっても良く、タップチェンジャー付インダクタ等であっても良い。
【０１１４】
可変インダクタ３０１ａを操作して、インダクタンスを大きくすると、可変インダクタ３０１ａのインピーダンスが増加し、電力線通信の信号を通過しにくくすることができる。このため、可変インダクタ３０１ａを操作してインダクタを変更することで、電力線通信の信号の通過する程度を変更することができ、一次側配線に通過する電力線通信の信号の遮断の程度を制御することができる。なお、可変インダクタ３０１ａは、手動操作できるものであっても良いが、遠隔操作でインダクタンスを変更できるものであることが好ましい。
【０１１５】
（実施の形態４）
上記実施の形態１および２においては、電力機器の二次側配線と接地との間に接続したコンデンサを有する電力線通信用フィルタについて説明したが、本実施の形態においては、コンデンサの代わりに、二次側配線に送信される電力線通信の信号の、変圧器等の電力機器の一次側配線への通過を遮断する素子として、フェライトコアと、このフェライトコアに巻付けられて、二次側配線に挿入される導線とを有する素子を用いた電力線通信用フィルタ２０について説明する。
【０１１６】
図５は、本実施の形態４の電力線通信用フィルタを示す図（図５（ａ））、およびその変形例を示す図（図５（ｂ））である。図５において、図１〜図４と同一符号は同一または相当する部分を示している。ここでは、電力機器である変圧器の二次側配線が、電力線通信を行なうための回路（図示せず）等と接続されており、電力線通信用フィルタが、変圧器の二次側配線に接続されている例を挙げて説明する。
【０１１７】
電力線通信用フィルタ４０は、変圧器１０の二次側配線Ｌ１およびＬ２にそれぞれ設けられている。電力線通信用フィルタ４０は、フェライトコア４００と、このフェライトコア４００に巻付けられ、二次側配線Ｌ１およびＬ２にそれぞれ挿入された導線４０１とを有する素子を備えている。導線４０１の一端が、変圧器１０の二次側配線Ｌ１またはＬ２の変圧器１０側に接続され、他端が、二次側配線Ｌ１またはＬ２の変圧器１０側とは反対側（例えば負荷側）に接続されている。図５（ａ）においては、導線４０１がフェライトコア４００に一回巻付けられている例を示しているが、巻付け数は問わない。なお、導線４０１は、二次側配線Ｌ１またはＬ２の、フェライトコア４００に巻付けられた一部であってもよい。
【０１１８】
フェライトコア４００に巻付けられた導線４０１は、高周波に対して高いインピーダンスを有するため、各二次側配線Ｌ１およびＬ２にそれぞれ挿入されたフェライトコア４００に巻付けられた導線４０１は、二次側配線Ｌ１およびＬ２に送信される電力線通信の信号の、変圧器１０の一次側配線Ｐ１およびＰ２への通過を遮断する素子となる。このため、導線４０１は、変圧器１０の二次側配線Ｌ１およびＬ２を流れる低周波数の電力は導線４０１を通過されるが、電力線通信に用いられるような、例えば２Ｍ〜３０ＭＨｚの高周波信号は通過させないこととなる。従って、二次側配線Ｌ１およびＬ２の、電力線通信用フィルタ３０の導線４０１が接続されている位置よりも二次側、すなわち接続されている位置に対して変圧器１０と反対側となる部分において送信された電力線通信の信号は、高周波に対するインピーダンスが高いフェライトコア４００に巻付けられた導線４０１を通過しなくなり、電力線通信の信号が、変圧器１０側に通過しないようにすることができ、電力線通信の信号が、一次側配線Ｐ１およびＰ２に通過しないようにすることができる。これにより、例えば、二次側から一次側への電力線通信の信号の漏洩を防ぐことができる。
【０１１９】
なお、上記のようにフェライトコア４００を用いる場合、フェライトコア４００に巻きつける導線４０１のターン数によって、インピーダンスを調整することができ、電力線通信用フィルタで通過させない電力線通信の信号の程度を調整することができる。
【０１２０】
（変形例１）
図５（ｂ）に示す変形例のように、図４（ｂ）に示した上記実施の形態３の変形例１の電力線通信用フィルタのインダクタ３０１を、上記実施の形態のフェライトコア４００と、このフェライトコア４００に巻付けた導線４０１とを有する素子に置き換えた電力線通信用フィルタ４１を、上記実施の形態４の電力線通信用フィルタ４０の代わりに用いるようにしてもよい。
【０１２１】
このような構成とすることで、第一のセレクタスイッチ３０３１と、第二のセレクタスイッチ３０３２とを操作して、導線４０１を二次側配線Ｌ１またはＬ２に挿入されるよう接続することで、電力線通信の通過を遮断できるとともに、第一のセレクタスイッチ３０３１と、第二のセレクタスイッチ３０３２とを操作して、導線４０１の代わりにバイパス用線路３０２を接続することで、電力線通信の遮断を行なわないようにすることができる。
【０１２２】
なお、ここでは、第一のセレクタスイッチ３０３１と、第二のセレクタスイッチ３０３２とで、フェライトコア４００に巻付けられた導線４０１の、二次側配線Ｌ１またはＬ２への接続と切断とを切替えるようにしたが、フェライトコア４００に巻付けられた導線４０１の、二次側配線Ｌ１またはＬ２への接続と切断とを切替えることが可能であれば、どのような接続手段を設けるようにしてもよい。
【０１２３】
（変形例２）
上記実施の形態１の変形例３において説明した図１（ｄ）に示したような電力線通信用フィルタにおいて、複数のコンデンサの代わりに、切替手段２０２０で切り替え可能なフェライトコアと、フェライトコアに巻付けた導線とを有する複数の素子を用いた電力線通信用フィルタを、上記実施の形態４の電力線通信用フィルタ４０の代わりに用いてもよい。このような電力線通信用フィルタにおいては、切替手段２０２０を操作することで、フェライトコアと、フェライトコアに巻付けた導線とを有する１以上の素子を並列に接続できるとともに、並列接続する素子数を変更できるため、合成インピーダンスを変更して、電力線通信の信号の通過特性を変更して、電力線通信用信号の遮断の程度を制御することができる。なお、この場合の並列接続可能なフェライトコアと、フェライトコアに巻付けた導線とを有する素子の数は、複数であればその数は問わない。フェライトコアに巻付けられた導線を有する複数の素子は、同じインピーダンスであってもよく、インピーダンスが異なるものを含んでいてもよい。
【０１２４】
（変形例３）
上記実施の形態１の変形例４において説明した電力線通信用フィルタの容量が異なる複数のコンデンサを、それぞれ、フェライトコアと、フェライトコアに巻付けた導線とを有するインピーダンスが異なる複数の素子に置き換えた電力線通信用フィルタを、上記実施の形態１の変形例４の電力線通信用フィルタ４０の代わりに用いてもよい。
【０１２５】
図６（ａ）は、このような本実施の形態の電力線通信用フィルタの変形例３を示す図である。この電力線通信用フィルタ４２は、図２（ａ）に示した電力線通信用フィルタ２２の容量の異なる４つのコンデンサ２０３ａ〜２０３ｄを、４つのフェライトコア４００ａ〜４００ｄと、各フェライトコア４００ａ〜４００ｄにそれぞれ巻付けられた導線４０１ａ〜４０１ｄと、を有する４つの素子であって、インダクタンスが異なる４つの素子にそれぞれ置き換えたものである。ここでは、一例として、４つのフェライトコア４００ａ〜４００ｄと、各フェライトコア４００ａ〜４００ｄにそれぞれ巻付けられた導線４０１ａ〜４０１ｄと、を有する４つの素子が、異なるインピーダンスを有するようにするために、導線４０１ａ〜４０１ｄのそれぞれのフェライトコア４００ａ〜４００ｄに対する巻付け数を異なるものとしている。具体的には、導線４０１ａから導線４０１ｄに向かって、巻付け数が増加するようにしている。フェライトコアに導線を巻付けた素子においては、導線の巻付け数を増やすことでインピーダンスを増加させているものとする。なお、巻付け数を変更せずに、素子のインピーダンスを異なるインピーダンスとしてもよい。なお、ここでは、フェライトコアと、フェライトコアに巻付けた導線とを有するインダクタンスの異なる複数の素子が４つである場合を例に挙げて説明するが、素子の数は、複数であればその数は問わない。また、フェライトコアに巻付けられた複数の導線を有する複数の素子が、一のフェライトコアを共用してもよい。この場合、共用される一のフェライトコアを、それぞれの複数の素子のフェライトコアとと考えてもよい。
【０１２６】
このような変形例においては、切替手段２０３０が有する第一のセレクタスイッチ２０３１と第二のセレクタスイッチ２０３２とを操作して、変圧器１０の二次側配線Ｌ１またはＬ２に接続されるフェライトコアに導線を巻付けた一の素子をインピーダンスが異なる素子に切替えることで、二次側配線Ｌ１またはＬ２に挿入されるインピーダンスを切替えて、電力線通信の信号の遮断の程度を変更して、電力線通信の信号の一次側配線への通過および遮断を適切に制御することができる。
【０１２７】
（変形例４）
上記実施の形態３の変形例４において説明した電力線通信用フィルタの直列接続された複数のインダクタを、それぞれ、一のフェライトコアに巻付けられて直列接続された複数の導線を有する４つの素子に置き換えた電力線通信用フィルタを、上記実施の形態４の電力線通信用フィルタ４０の代わりに用いてもよい。
【０１２８】
図６（ｂ）は、このような本実施の形態の電力線通信用フィルタの変形例４を示す図である。この電力線通信用フィルタ４２は、図４（ｃ）に示した電力線通信用フィルタ３１の直列接続された４つのインダクタ３０１ａ〜３０１ｄを、１つのフェライトコア４００にそれぞれ巻付けられて直列接続された４つの導線４０２ａ〜４０２ｄを有する４つの素子で置き換えた電力線通信用フィルタ４３である。この４つの素子は、一のフェライトコア４００を共用しているものと考えてもよい。４つの導線４０２ａ〜４０２ｄは、導線４０１と同様の導線である。なお、４つの導線４０２ａ〜４０２ｄのそれぞれの巻数は同じであってもよく、少なくとも一部が異なっていてもよい。また、ここでは、フェライトコア４００に巻付けた導線を有するインピーダンスの異なる複数の素子が４つである場合を例に挙げて説明するが、素子の数は、複数であればその数は問わない。
【０１２９】
この電力線通信用フィルタ４２においては、フェライトコア４００に巻付けられた４つの導線４０２ａ、４０２ｂ、４０２ｃ、および４０２ｄは、この順番に直列に接続されており、切替用端子４０３６ａ〜４０３６ｄは、導線４０２ａと導線４０２ｂとが接続されている部分、導線４０２ｂと導線４０２ｃとが接続されている部分、導線４０２ｃと導線４０２ｄとが接続されている部分、および導線４０２ｄの導線４０２ｃと接続されていない側にそれぞれ接続されている。このため、セレクタスイッチ４０３２を操作することによって、セレクタスイッチ４０３２が端子４０３４と接続する切替用端子を、切替用端子４０３６ａ〜４０３６ｄの４０いずれかに切替えることができ、二次側配線Ｌ１またはＬ２に直列接続されて挿入されるフェライトコア４００に巻付けられた導線の数を変更することができる。なお、フェライトコア４００に巻付けられた導線の数を変更することは、フェライトコア４００に巻付けられた導線を有する直列接続された素子の数や、フェライトコア４００に巻付けられた導線の巻付け数を変更することと考えてもよい。なお、導線が直列接続される、ということは、例えば、フェライトコア４００に巻付けられた導線を有する素子が直列接続されることと考えてもよい。
【０１３０】
直列接続されるフェライトコア４００に巻付けられた導線の数を変更すると、二次側配線Ｌ１またはＬ２に挿入されるインピーダンスが変更され、二次側配線に送信される電力線通信の信号の遮断の程度を変更することが可能となる。例えば、セレクタスイッチ４０３２を操作して、直列接続されるフェライトコア４００に巻付けられる導線の数を増加させることで、二次側配線Ｌ１またはＬ２に挿入されるインピーダンスを増加させ、電力線通信の信号をより強く遮断することが可能となる。
【０１３１】
このように、変形例４においては、セレクタスイッチ４０３２を操作して、一のフェライトコア４００に巻付けられた導線を有する素子が直列接続される数（すなわち、導線の巻付け数）を切替えることにより、二次側配線Ｌ１またはＬ２に挿入されるインピーダンスを切替えて、電力線通信の信号の遮断の程度を変更して、電力線通信の信号の一次側配線への通過および遮断を制御することができる。
【０１３２】
（変形例５）
上記実施の形態１の変形例５と同様に、本実施の形態の変形例２〜４の少なくとも１つにおいて説明した電力線通信用フィルタの少なくとも２以上を、直列または並列に接続した電力線通信用フィルタを用いてもよい。このようにすることで、合成インピーダンスを細かく制御でき、通信の遮断の程度等を細かく制御できる。
【０１３３】
また、上記実施の形態においては、電力機器が、変圧器１０である場合を例に挙げて説明したが、電力機器は、ＰＡＳ等の変圧器１０以外の電力機器であってもよく、このような場合においても、二次側配線に電力線通信用フィルタ４０を設けることで上記と同様の効果を奏する。
【０１３４】
（実施の形態５）
上記実施の形態１においては、二次側配線と接地との間に接続したコンデンサを有する電力線通信用フィルタについて説明したが、本実施の形態においては、二次側配線に送信される電力線通信の信号の、電力機器である変圧器の一次側配線への通過を遮断する素子として、変圧器の二次側配線間に接続したコンデンサを有する電力線通信用フィルタについて説明する。
【０１３５】
図７は、本実施の形態の電力線通信用フィルタを説明するための図（図７（ａ））、およびその変形例を示す図（図７（ｂ））である。図７において、図１および図２と同一符号は同一または相当する部分を示している。ここでは、電力機器である単相３線式の変圧器１０の二次側配線が、電力線通信を行なうための回路や機器（図示せず）等と接続されており、電力線通信用フィルタが、変圧器１０の二次側配線間に接続されている例を挙げて説明する。
【０１３６】
図７（ａ）に示すように、電力線通信用フィルタ７０は、変圧器１０の二次側配線Ｌ１と二次側配線Ｌ２と間に接続されている。電力線通信用フィルタ７０は、二次側配線Ｌ１と二次側配線Ｌ２との間に接続されたコンデンサ２０１を有する。具体的には、コンデンサ２０１は、一端が、二次側配線Ｌ１と接続され、他端が、二次側配線Ｌ２と接続されている。
【０１３７】
電力線通信用フィルタ７０のコンデンサ２０１が、変圧器１０の二次側配線Ｌ１と二次側配線Ｌ２との間を流れる低周波数の電力は通過させないとともに、電力線通信に用いられる高周波信号は通過させることとなるため、電力線通信の信号が、電力線通信用フィルタ２０が接続されている位置よりも変圧器１０側に流れにくくようにすることができ、電力線通信の信号が、一次側配線Ｐ１およびＰ２に流れないようにすることができる。これにより、例えば、二次側から一次側への電力線通信の信号の通過を防ぐことができる。
【０１３８】
図８は、本実施の形態の電力線通信用フィルタを説明するためのシミュレーションに用いられた変圧器モデルの等価回路図（図８（ａ））、およびそのシミュレーション結果を示すグラフ（図８（ｂ））である。図８の等価回路図が示すモデルは、非特許文献「野田琢、他２名「過渡現象解析のための配電用柱上変圧器モデル」電気学会論文誌Ｂ、１２０巻、２０００年８−９号』に記載された変圧器モデルであり、この回路の詳細については、この文献を参照されたい。
【０１３９】
ここでは、図８（ａ）に示した変圧器モデルの二次側配線の端子８０１および端子８０２間に電力線通信に利用される周波数を含む異なる周波数の高周波の信号を入力した場合の、入力信号と、変圧器モデルの一次側配線の端子８０３および端子８０４から出力される出力信号との電流比（ｄＢ）をそれぞれシミュレーションにより取得した。シミュレーション結果８１は、二次側配線の端子８０１と端子８０２との間に１μＦのコンデンサを接続した場合の結果を示し、シミュレーション結果８２は、二次側配線の端子８０１と８０２との間に１０００ｐＦのコンデンサを接続した場合の結果を示している。このシミュレーションにおける二次側配線の端子８０１と端子８０２との間に接続されたコンデンサは、電力線通信用フィルタ７０に相当している。また、シミュレーション結果８３は、二次側配線の端子８０１と端子８０２との間にコンデンサを接続しない場合の比較例の結果を示している。シミュレーションソフトウェアとして、ＬＴｓｐｉｃｅ（リニアテクノロジー社製）を用いた。
【０１４０】
図８（ｂ）のグラフに示すように、変圧器モデルの二次側配線の端子８０１と端子８０２との間にコンデンサを接続したシミュレーション結果８１および８２と、コンデンサを接続しないシミュレーション結果８３とを比べると、コンデンサを接続した方が、変圧器モデルの一次側に通過する信号がほとんどの周波数で低減されることがわかる。また、シミュレーション結果８１とシミュレーション結果８２との比較から、接続するコンデンサの容量を増加させると、通過する信号が低減されることがわかる。
【０１４１】
以上、本実施の形態によれば、変圧器１０の二次側配線Ｌ１と二次側配線Ｌ２との間を接続するコンデンサ２０１を有する電力線通信用フィルタ７０を設けることで、変圧器１０の二次側から一次側への電力線通信信号の通過を防ぐことができる。
【０１４２】
（変形例）
電力線通信用フィルタ７０を、図７（ａ）のように、変圧器１０の二次側配線Ｌ１と二次側配線Ｌ２との間に電力線通信用フィルタ７０を設ける代わりに、図７（ｂ）に示すように、変圧器１０の一次側配線Ｐ１と一次側配線Ｐ２との間に電力線通信用フィルタ７０を設けるようにしてもよい。すなわち、変圧器１０の一次側配線Ｐ１と一次側配線Ｐ２とを接続するコンデンサ２０１を有する電力線通信用フィルタ７０を設けるようにしてもよい。このような構成により、二次側配線Ｌ１およびＬ２に入力された電力線通信用信号が、変圧器１０を通過したとしても、一次側配線Ｐ１と一次側配線Ｐ２との間に設けられた電力線通信用フィルタ７０よりも一次側（電力線通信用フィルタ７０に対して変圧器１０とは反対側となる部分）には流れないようにすることができ、結果として、電力線通信用の信号が、変圧器１０の一次側から二次側に流れないようにすることができる。なお、電力線通信用フィルタ７０を、変圧器１０の二次側配線間と、一次側配線間との両方に設けるようにしても良い。
【０１４３】
また、ここでは、電力線通信用フィルタ７０が、単相３線式の変圧器の二次側配線間、または一次側配線間を接続するコンデンサ２０１を備えている場合について説明したが、電力線通信用フィルタ７０は、単相３線式の変圧器以外の変圧器等の他の電力機器の二次側配線間、または一次側配線間を接続するコンデンサを備えているものであってもよい。
【０１４４】
なお、上記実施の形態の電力線通信用フィルタ７０の代わりに、上記実施の形態１において説明した変形例１〜５と同様の電力線通信用フィルタを設けるようにしてもよい。
【０１４５】
（実施の形態６）
上記実施の形態２においては、開閉器の各二次側配線と、接地との間に、それぞれ接続される電力線通信用フィルタについて説明したが、本実施の形態においては、電力機器である開閉器の二次側配線間にそれぞれ接続される電力線通信用フィルタについて説明する。
【０１４６】
図９は、本発明の実施の形態２にかかる電力線通信用フィルタを説明するための回路図（図９（ａ））、および変形例を示す図（図９（ｂ）〜図９（ｅ））である。図において、図３と同一符号は同一または相当する部分を示している。ここでは、上記実施の形態２と同様に、開閉器として三相の気中負荷開閉器であるＰＡＳ５０を用いた場合を例に挙げて説明する。ただし、ＰＡＳ５０の代わりに、地中線用負荷開閉器等の他の開閉器を用いてもよい。ただし、三相３線式の開閉器であることが好ましい。
【０１４７】
３つの電力線通信用フィルタ８０は、３本の二次側配線Ｌａ１〜Ｌａ３から選択した異なる３組の二本の配線間にそれぞれ接続されている。すなわち、電力線通信用フィルタ８０は、それぞれ、二次側配線Ｌａ１と二次側配線Ｌａ２との間、二次側配線Ｌａ２と二次側配線Ｌａ３との間、および二次側配線Ｌａ３と二次側配線Ｌａ１との間に接続されている。各電力線フィルタ８０は、３本の二次側配線Ｌａ１〜Ｌａ３のうちの二本の配線間に接続されたコンデンサ２０１を有している。なお、この３つの電力線通信用フィルタ８０の１以上（例えば、すべて）を、一の電力線通信用フィルタと考えてもよい。
【０１４８】
電力線通信用フィルタ８０のコンデンサ２０１が、ＰＡＳ５０の二次側配線Ｌａ１、Ｌａ３間、二次側配線Ｌａ１、Ｌａ２間、二次側配線Ｌａ２、Ｌａ３間において、低周波数の電力は通過させないとともに、電力線通信に用いられる高周波信号は通過させることとなるため、電力線通信の信号が、電力線通信用フィルタ８０が接続されている位置よりもＰＡＳ５０側に流れにくくようにすることができ、電力線通信の信号が、一次側配線Ｐａ１〜Ｐａ３に流れないようにすることができる。これにより、例えば、二次側から一次側への電力線通信の信号の通過を防ぐことができる。
【０１４９】
以上、本実施の形態によれば、ＰＡＳ５０の３本の二次側配線Ｌａ１〜Ｌａ３から選択した異なる３組の二本の配線間をそれぞれ接続するコンデンサ２０１を備えた電力線通信用フィルタ７０を設けることで、変圧器１０の二次側から一次側への電力線通信信号の通過を防ぐことができる。
【０１５０】
（変形例１）
なお、上記実施の形態においては、電力線通信用フィルタ８０が、ＰＡＳ５０の３本の二次側配線Ｌａ１〜Ｌａ３から選択した異なる３組の二本の配線間にそれぞれ接続されている場合について説明したが、電力線通信用フィルタ８０は、ＰＡＳ５０の３本の二次側配線Ｌａ１〜Ｌａ３から選択した異なる１以上の組の二本の配線間にそれぞれ接続されていてもよい。例えば、電力線通信用フィルタ８０が、図９（ｂ）に示すように、二次側配線Ｌａ１と二次側配線Ｌａ３との間にだけ接続されていても良く、図９（ｃ）に示すように、二次側配線Ｌａ１と二次側配線Ｌａ２との間にだけ接続されていても良く、二次側配線Ｌａ２と二次側配線Ｌａ３との間にだけ接続されていても良い。また、例えば、電力線通信用フィルタ８０が、図９（ｄ）に示すように、二次側配線Ｌａ１と二次側配線Ｌａ３との間、および二次側配線Ｌａ１と二次側配線Ｌａ２との間に、それぞれ接続されていても良く、二次側配線Ｌａ１と二次側配線Ｌａ３との間、および二次側配線Ｌａ２と二次側配線Ｌａ３との間に、それぞれ接続されていても良く、二次側配線Ｌａ１と二次側配線Ｌａ２との間、および二次側配線Ｌａ２と二次側配線Ｌａ３との間に、それぞれ接続されていても良い。ただし、電力線通信は、二次側配線Ｌａ１〜Ｌａ３のうちの、配線間が電力線通信用フィルタ８０を介して接続された二本の二次側配線間で行なうようにすることが好ましい。
【０１５１】
（変形例２）
なお、上記実施の形態において説明した電力線通信用フィルタ８０を、ＰＡＳ５０の一次側配線Ｐａ１〜Ｐａ３に対して接続するようにしても良い。例えば、電力線通信用フィルタ８０は、ＰＡＳ５０の３本の一次側配線Ｐａ１〜Ｐａ３から選択した異なる１以上の組の二本の配線間にそれぞれ接続されていてもよい。また、例えば、図９（ｅ）に示すように、電力線通信用フィルタ８０は、ＰＡＳ５０の３本の一次側配線Ｐａ１〜Ｐａ３から選択した異なる３組の二本の配線間にそれぞれ接続されたコンデンサ２０１を備えていてもよい。なお、上記実施の形態において説明した電力線通信用フィルタ８０を、ＰＡＳ５０の一次側配線Ｐａ１〜Ｐａ３と、二次側配線Ｌａ１〜Ｌａ２との両方に対してそれぞれ接続するようにしても良い。
【０１５２】
なお、上記実施の形態の電力線通信用フィルタ８０の代わりに、上記実施の形態１において説明した変形例１〜５と同様の電力線通信用フィルタを設けるようにしてもよい。
【０１５３】
また、本実施の形態においては、電力機器がＰＡＳである場合について説明したが、上記実施の形態２と同様に、電力機器は、ＰＡＳ以外の開閉器や、開閉器以外の他の電力機器（例えば、三相３線式の電力機器）であってもよい。
【０１５４】
なお、３以上の電力機器が並列接続されている場合のおいて、この並列接続された３以上の電力機器のうちの２以上を介して電力線通信を行う場合においては、上記実施の形態５または実施の形態６において説明した電力線通信用フィルタ７０または電力線通信用フィルタ８０を用いて、この電力線通信が行われる２以上の電力機器以外の並列接続された電力機器における電力線通信の信号の通過を遮断するようにしてもよい。
【０１５５】
例えば、特高・高圧から３ＫＶ程度の中間電圧に降圧する変圧器等の、一の変圧器に対して、ツリー状に３以上の変圧器の一次側配線が並列に接続されている場合等のように、３以上の変圧器が並列接続されている場合において、この並列接続された３以上の変圧器のうちの２以上を介して電力線通信を行う場合においては、上記実施の形態５において説明した電力線通信用フィルタ７０を用いて、この電力線通信を行う変圧器以外の並列接続された変圧器における電力線通信の信号の通過を遮断するようにしてもよい。このようにすることで、通信に関係ないエリアを任意に遮断することができる。例えば、並列接続される変圧器が増加して分岐が増えることにより、信号が届く通信エリアが広がると、減衰量が大きくなり、通信特性が悪くなる（例えば、通信範囲が狭まる、通信速度が落ちる）ことが考えられるが、電力線通信を行わない変圧器における電力線通信用の信号の通過を、電力線通信用フィルタ７０を用いて遮断することで、実質的に分岐を減らして信号が届く通信エリアを狭くして、通信特性を改善することできる。また、意図的に通信信号の流れるエリアを制限することができ、通信を行えるようにするための課金を行ったり、盗聴リスクを低減させたり、外部への放射電磁界の軽減を行うことが可能となる。
【０１５６】
なお、電力線通信用フィルタ７０を用いて変圧器に対する電力線通信の信号の通過を遮断することは、例えば、電力線通信用フィルタ７０を変圧器に取付けることであっても良く、例えば、３以上の変圧器の一次側配線や、二次側配線に対して、予め上記実施の形態１の変形例１等において説明したような接続手段を設けた電力線通信用フィルタを取付けておくようにし、電力線通信の信号を遮断する変圧器に取付けられた電力線通信用フィルタの接続手段を接続状態として、電力線通信用フィルタ２０を利用可能な状態とすること等であっても良い。
【０１５７】
また、例えば、３以上のＰＡＳ等が接続されている場合において、この並列接続された３以上のＰＡＳのうちの２以上を介して電力線通信を行う場合においては、上記実施の形態６において説明した電力線通信用フィルタ８０を用いて、上記と同様に、この電力線通信を行うＰＡＳ以外の並列接続されたＰＡＳにおける電力線通信の信号の通過を遮断するようにしてもよく、このような場合も上記と同様の効果を奏する。
【０１５８】
なお、上記実施の形態５または６において説明した電力線通信用フィルタの代わりに、上記実施の形態１〜４において説明した電力線通信用フィルタを用いて、並列接続された３以上の電力機器のうちの、電力線通信が行われる２以上の電力機器以外の電力機器における電力線通信の信号の通過を遮断するようにしてもよい。
【０１５９】
なお、上記各実施の形態においては、二次側配線に送信される電力線通信の信号の、電力機器の一次側配線への通過を遮断する素子が、コンデンサ、インダクタ、またはフェライトコアとフェライトコアに巻付けられた導線とを有する素子である場合を例に挙げて説明したが、これらの素子の２以上を組み合わせて用いてもよいことはいうまでもない。例えば、電力線通信用フィルタは、実施の形態１において説明した電力線通信用フィルタが有する１以上のコンデンサと、実施の形態３において説明した電力線通信用フィルタが有する１以上のインダクタとを有するものであってもよい。また、電力線通信用フィルタは、例えば、実施の形態１〜実施の形態６のうちの２以上の実施の形態において説明した２以上の電力線通信用フィルタを有する電力線通信用フィルタであっても良い。例えば、電力線通信用フィルタは、実施の形態１において説明した１以上の電力線通信用フィルタと、実施の形態３において説明した１以上の電力線通信用フィルタとを有する電力線通信用フィルタであってもよい。
【０１６０】
また、上記各実施の形態においては、二次側配線に送信される電力線通信の信号の、電力機器の一次側配線への通過を遮断する素子が、コンデンサ、インダクタ、またはフェライトコアとフェライトコアに巻付けられた導線とを有する素子である場合を例に挙げて説明したが、これら以外の他の素子であってもよい。なお、二次側配線に送信される電力線通信の信号の、電力機器の一次側配線への通過を遮断する素子として、コンデンサ以外の素子を用いる場合、実施の形態１の変形例４に示したような容量が異なる複数のコンデンサを、通過特性が異なる複数の素子に置き換えるようにすればよい。
【０１６１】
なお、上記各実施の形態において説明した電力線通信用フィルタを用いることにより、電力機器の一次側配線から二次側配線への電力線通信の信号の通過を適切に遮断することもできる。つまり、上記各実施の形態の、二次側配線に送信される電力線通信の信号の、電力機器の一次側配線への通過を遮断する素子は、一次側配線に送信される電力線通信の信号の、電力機器の二次側配線への通過を遮断する素子と考えても良く、上記各実施の形態の電力線通信用フィルタが有する上記各実施の形態の電力線通信用フィルタは、電力機器の二次側配線または一次側配線に対して接続され、一次側配線に送信される電力線通信の信号の、電力機器の二次側配線への通過を遮断する素子を備えた電力線通信用フィルタと考えてもよい。すなわち、上記の電力線通信用フィルタは、電力機器の二次側配線または一次側配線に対して接続され、電力機器の二次側配線と一次側配線との間における電力線通信の信号の通過を遮断する素子を備えた電力線通信用フィルタと考えてもよい。
【０１６２】
本発明は、以上の実施の形態に限定されることなく、種々の変更が可能であり、それらも本発明の範囲内に包含されるものであることは言うまでもない。
【産業上の利用可能性】
【０１６３】
以上のように、本発明にかかる電力線通信用フィルタは、電力機器の二次側配線または一次側配線に接続される電力線通信用フィルタとして適しており、電力機器の二次側配線および一次側配線の少なくとも一方を用いて電力線通信が行なわれる場合に用いられる電力線通信用フィルタ等として有用である。
【符号の説明】
【０１６４】
１０  変圧器，２０〜２３、３０、３１、４０〜４３、７０、８０  電力線通信用フィルタ，１０１  一次巻線，１０２  二次巻線，１０３  鉄心，２０１、２０２ａ〜２０２ｄ、２０３ａ〜２０３ｄ  コンデンサ，２０１ａ  可変コンデンサ，３０１、３０１ａ〜３０１ｄ  インダクタ，３０２  バイパス用線路，４００、４００ａ〜４００ｄ  フェライトコア，４０１、４０１ａ〜４０１ｄ  導線，２０１１  接続手段，２０２０、２０３０、４０２０  切替手段，２０２１ａ〜２０２１ｄ  第一のスイッチ，２０２２ａ〜２０２２ｄ  第二のスイッチ，２０３１、３０３１  第一のセレクタスイッチ，２０３２、３０３２  第二のセレクタスイッチ，４０３２  セレクタスイッチ
【図１】
2019165426.tif 000003
【図２】
2019165426.tif 000004
【図３】
2019165426.tif 000005
【図４】
2019165426.tif 000006
【図５】
2019165426.tif 000007
【図６】
2019165426.tif 000008
【図７】
2019165426.tif 000009
【図８】
2019165426.tif 000010
【図９】
2019165426.tif 000011